【事件の表示】
　特許第３２７５９０５号「施肥装置付き田植機」の請求項１に係る特許に対する特許異議の申立てについて、次のとおり決定する。
【結　論】
　訂正を認める。
　特許第３２７５９０５号の請求項１に係る特許を維持する。
【理　由】
１．手続の経緯
　本件特許第３２７５９０５号の請求項１に係る発明についての出願は、平成４年３月３１日に出願した特願平４−７７０６８号の一部を平成８年８月２６日に新たな特許出願とし（特願平８−２２４２２３号）、この出願の一部を平成１２年２月１日に新たな特許出願とした特願２０００−２４０３３号であって、平成１４年２月８日にその発明について特許権の設定登録がなされ、その後、本件請求項１に係る発明の特許に対し、平成１４年１０月１７日にヤンマー農機株式会社より特許異議の申立てがなされ、取消の理由を通知したところ、その指定期間内である平成１５年８月１９日に訂正請求がなされたものである。
　
２．訂正の適否についての判断
２−１．訂正の内容
（１） 訂正事項ａ
　特許請求の範囲の請求項１について、「【請求項１】　肥料を繰り出す繰出部３１を苗載台２１の前側に配置し、圃場に施肥用の溝を形成する作溝器２７を苗載台２１の下端部下方近傍に配置し、前記繰出部３１が繰り出した肥料を前記作溝器２７に導く施肥ホース３２を前記繰出部３１の下方から後方に延びて苗載台２１の下方に入り込むよう配置し、該施肥ホース３２内に肥料搬送用の圧風を吹き込む構成とした施肥装置付き田植機において、前記施肥ホース３２に、作溝器２７内に泥などが詰まって該作溝器２７に連結する施肥ホース３２の肥料排出口が塞がれたとき施肥ホース３２内の圧風をホース外に吹き出させる孔３２”ｃを設け、該孔３２”ｃを苗載台２１の下方に位置する個所で上方に向かって開口するように設けたことを特徴とする施肥装置付き田植機。」を、
　「【請求項１】　
昇降リンク装置３により昇降する植付部４に前側が高く後側が低くなるよう傾斜した苗載台２１と圃場面を滑走するフロート２５，２６とを設け、
前記フロート２５，２６に取り付けて
を可撓性のホース３２’に作溝器２７側に連結する所定の形態に成型したホース３２”を連結して構成し、作溝器２７側に連結するホース３２”
　
（２）訂正事項ｂ
　明細書の段落【０００４】の【課題を解決するための手段】の記載について、「この発明は、上記課題を解決するために、肥料を繰り出す繰出部３１を苗載台２１の前側に配置し、圃場に施肥用の溝を形成する作溝器２７を苗載台２１の下端部下方近傍に配置し、前記繰出部３１が繰り出した肥料を前記作溝器２７に導く施肥ホース３２を前記繰出部３１の下方から後方に延びて苗載台２１の下方に入り込むよう配置し、該施肥ホース３２内に肥料搬送用の圧風を吹き込む構成とした施肥装置付き田植機において、前記施肥ホース３２に、作溝器２７内に泥などが詰まって該作溝器２７に連結する施肥ホース３２の肥料排出口が塞がれたとき施肥ホース３２内の圧風をホース外に吹き出させる孔３２”ｃを設け、該孔３２”ｃを苗載台２１の下方に位置する個所で上方に向かって開口するように設けたことを特徴とする施肥装置付き田植機としたものである。」（本件特許公報２頁３欄２１〜３５行）とあるのを、
　「この発明は、上記課題を解決するために、
昇降リンク装置３により昇降する植付部４に前側が高く後側が低くなるよう傾斜した苗載台２１と圃場面を滑走するフロート２５，２６とを設け、
前記フロート２５，２６に取り付けて
を可撓性のホース３２’に作溝器２７側に連結する所定の形態に成型したホース３２”を連結して構成し、作溝器２７側に連結するホース３２”
　
（３）訂正事項ｃ
　明細書の段落【０００５】の【作用】の記載について、「この発明の施肥装置付き田植機にあっては、繰出部３１で繰り出された肥料は圧風を受けて搬送され施肥ホース３２に導かれて作溝器２７に移送され、作溝器２７によって圃場に形成された施肥用の溝に排出される。また、作溝器２７内に泥などが詰まって施肥ホース３２の肥料排出口が塞がれると、施肥ホース３２内に吹き込まれた圧風は、施肥ホース３２に設けた孔３２”ｃから施肥ホース３２の外に抜け出ていって、肥料がすぐに施肥ホース３２内に詰まることがない。しかも、孔３２”ｃは上方に向かって開口しているので、作業走行中に水田から跳ね上がる泥水がその孔３２”ｃから施肥ホース３２内に入り込みにくい。また、孔３２”ｃを上方に向かって開口しているものの、施肥ホース３２の苗載台２１の下方に位置する個所にその孔３２”ｃを設けているので、上から降る雨がその孔３２”ｃから施肥ホース３２内に入り込みにくい。」（本件特許公報２頁３欄３７行〜４欄２行）とあるのを、
　「この発明の施肥装置付き田植機にあっては、繰出部３１で繰り出された肥料は圧風を受けて搬送され施肥ホース３２に導かれて作溝器２７に移送され、作溝器２７によって圃場に形成された施肥用の溝に排出される。また、作溝器２７内に泥などが詰まって施肥ホース３２の肥料排出口が塞がれると、施肥ホース３２内に吹き込まれた圧風は、施肥ホース３２に設けた孔３２”ｃから施肥ホース３２の外に抜け出ていって、肥料がすぐに施肥ホース３２内に詰まることがない。しかも、
作溝器２７がフロート２５，２６に取り付けられ
作溝器２７側に連結するホース３２”で
　
（４）訂正事項ｄ
　明細書の段落【０００６】の【発明の効果】の記載について、「よって、この発明により、圧風を利用して肥料を搬送する施肥装置５を備えた施肥装置付き田植機にあって、作溝器２７内に泥などが詰まって施肥ホース３２の肥料排出口が塞がれても、施肥ホース３２内に吹き込まれた圧風は、施肥ホース３２に設けた孔３２”ｃから施肥ホース３２の外に抜け出ていくので、肥料がすぐに施肥ホース３２内に詰まることがなく、そのため繰出部３１の作動不良まで生じてしまうことは起こりにくいものとなる。しかも、孔３２”ｃは上方に向かって開口しているので、作業走行中に水田から跳ね上がる泥水が孔から施肥ホース３２内に入り込みにくく、また、孔３２”ｃを上方に向かって開口しているものの、施肥ホース３２の苗載台２１の下方に位置する個所にその孔３２”ｃを設けているので、上から降る雨がその孔３２”ｃから施肥ホース３２内に入り込みにくいので、施肥ホース３２内が濡れてそこに肥料が付着し肥料詰りが生じるということも起こりにくくなる。」（本件特許公報２頁４欄４行〜２０行）とあるのを、
　「よって、この発明により、圧風を利用して肥料を搬送する施肥装置５を備えた施肥装置付き田植機にあって、作溝器２７内に泥などが詰まって施肥ホース３２の肥料排出口が塞がれても、施肥ホース３２内に吹き込まれた圧風は、施肥ホース３２に設けた孔３２”ｃから施肥ホース３２の外に抜け出ていくので、肥料がすぐに施肥ホース３２内に詰まることがなく、そのため繰出部３１の作動不良まで生じてしまうことは起こりにくいものとなる。しかも、
作溝器２７がフロート２５，２６に取り付けられ
作溝器２７側に連結するホース３２”で
　
２−２．訂正の目的の適否、新規事項の有無及び拡張・変更の存否
　上記訂正事項ａは、請求項１について、苗載台の構成、作溝器の配置、孔を設けた施肥ホースの構成を限定するものであるから、特許請求の範囲の減縮を目的とした明細書の訂正に該当する。
　上記訂正事項ｂないしｄは、上記訂正事項ａと整合を図るものであるから、明りょうでない記載の釈明を目的とした明細書の訂正に該当する。
　そして、上記訂正事項ａの訂正における構成は、特許明細書の段落番号【０００７】、【０００９】、【００１９】、【００２０】に記載されているから、上記訂正事項ａないしｄは、新規事項の追加に該当せず、実質上特許請求の範囲を拡張し、又は変更するものでもない。
　
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
３−１．申立ての理由の概要
　特許異議申立人は、下記の証拠を提示し、本件発明の特許は次の理由により取り消されるべきである旨を主張している。
（１）本件請求項１に係る発明は、甲第１号証、甲第２各号証に記載された発明に基づいて当業者が容易に発明をすることができたものであるから、特許法第２９条第２項の規定により特許を受けることができない。
記
甲第１号証：実願昭６０−５５９９号（実開６１−１２２６４４号）のマイクロフィルム
甲第２号証の１：特開平３−２４４３０６号公報
甲第２号証の２：特開平３−２４０４０６号公報 
甲第２号証の３：特開平４−８４８１１号公報
甲第３号証：特開昭５９−２２０１１２号公報
　
３−２．取消理由の概要
　当審が通知した平成１５年６月２０日付けの取消理由通知では、本件発明の特許は次の理由により取り消されるべきである旨を通知した。
（１）本件請求項１に係る発明は、刊行物１ないし５に記載された発明に基づいて当業者が容易に発明をすることができたものであるから、特許法第２９条第２項の規定により特許を受けることができない。
記
刊行物１：特開平４−８４８１１号公報（甲第２号証の３）
刊行物２：特開昭５９−２２０１１２号公報（甲第３号証）
刊行物３：実願昭６０−５５９９号（実開６１−１２２６４４号）のマイクロフィルム（甲第１号証）
刊行物４：特開平３−２４４３０６号公報（甲第２号証の１）
刊行物５：特開平３−２４０４０６号公報（甲第２号証の２）
　
３−３．本件発明
　上記２．で示したように上記訂正が認められるから、本件特許第３２７５９０５号の請求項１に係る発明（以下、「本件発明」という。）は、平成１５年８月１９日に提出された訂正請求書の特許請求の範囲の請求項１に記載された次のとおりのものである。
「【請求項１】　昇降リンク装置３により昇降する植付部４に前側が高く後側が低くなるよう傾斜した苗載台２１と圃場面を滑走するフロート２５，２６とを設け、肥料を繰り出す繰出部３１を苗載台２１の前側に配置し、圃場に施肥用の溝を形成する作溝器２７を前記フロート２５，２６に取り付けて苗載台２１の下端部下方近傍に配置し、前記繰出部３１が繰り出した肥料を前記作溝器２７に導く施肥ホース３２を前記繰出部３１の下方から後方に延びて苗載台２１の下方に入り込むよう配置し、該施肥ホース３２内に肥料搬送用の圧風を吹き込む構成とした施肥装置付き田植機において、前記施肥ホース３２を可撓性のホース３２’に作溝器２７側に連結する所定の形態に成型したホース３２”を連結して構成し、作溝器２７側に連結するホース３２”に、作溝器２７内に泥などが詰まって該作溝器２７に連結する施肥ホース３２の肥料排出口が塞がれたとき施肥ホース３２内の圧風をホース外に吹き出させる孔３２”ｃを設け、該孔３２”ｃを苗載台２１の下方に位置する個所で上方に向かって開口するように設けたことを特徴とする施肥装置付き田植機。」
　
３−４．甲号証及び刊行物等に記載された発明
（１）上記甲第１号証（刊行物３）には、次の事項が記載されている。
(1-a).「前記ボンネット（７）の右側には、前記原動機に連動して出口部を前方に向けた送風ファン（１４）を設け、又このボンネット（７）の左側の前部下端には、前部の風の入ロ部と左側面の複数の風の出口部とを有した箱形状の空気室（１５）を設け、この風の入口部と該送風ファン（１４）の出口部とは蛇腹状の送風管（１６）を設けて連結し、又該ボンネット（７）の左側部には、上側の粒肥を入れる粒肥ホッパー（１７）と下側の出口部とを各々有した粒肥を繰出す複数の繰出装置（１８）（１８）を前後方向に連設し、又前記空気室（１５）の複数の出口側には、後方に向かって長い施肥パイプ（３）（３）を各々延設して該繰出装置（１８）の出ロ部とこの施肥パイプ（３）とは各々連通させる。
　前記苗植付装置（１２）の前側には、上下方向の支持部（１９）を有した左右方向に複数の支持部材（２０）（２０）を前方に向けて各々突設し、この各々の支持部（１９）（１９）には、当該支持部（１９）に支持された支持杵（２１）を上部に有して、前部の前傾する稜線部（２２）と両側面部、及び三角状の上面部とによって形成された作溝機（２）を各々設け、又この作溝器（２）の稜線部（２２）の後側には、前記施肥パイプ（３）の終端部に一体状に設けた肥料粒径よりは小さい目合の網状パイプ（４）部をこの稜線部（２２）に沿って取付ける。」（３頁１０行〜５頁１２行）
(1-b).「送風ファン（１４）を回転させると、発生した風は送風管（１６），空気室（１５）を経て施肥パイプ（３）内を後方に向かって流れ、粒肥ホッパー（１７）内の粒肥を繰出装置（１８）によって繰出すと、施肥パイプ（３）内の風によって後方に搬送され、この粒肥を搬送した搬送風は網状パイプ（４）部に至ると、網目から適宜に外周に放散されることによって減衰し、搬送された粒肥は作溝器（２）によって作溝された溝内に、この減衰した風によって施肥されることになり、従って粒肥は溝外に飛散することなく正確に施肥される。」（５頁２〜１２行）
　
（２）上記甲第２号証の１（刊行物４）には、次の事項が記載されている。
(2-a).第１図及び第３図には、施肥ノズル２５及び開溝板２６を苗載せ台１５の下端部下方近傍に配置した構成が記載されていると認められる。
　
（３）上記甲第２号証の２（刊行物５）には、次の事項が記載されている。
(3-a).「29は施肥装置で、施肥繰出部Ａと施肥移送部Ｂと作溝部Ｃとからなっていて、夫々次の通り構成されている。」（２頁右下欄１９行〜３頁左上欄１行）
(3-b).「肥料移送部Ｂは、前記漏斗32に一体的に取付けた変形しない硬管33と後述する作溝器側に位置する硬管34との間を屈曲自在な可撓性の軟管35で連結し、且つ、前記硬管33の基端側を送風機37の空気吹き出し口に連結の風圧溜タンク38に連通して肥料が風送されるように構成されている。」（３頁左上欄７〜１３行）
(3-c).「作溝部Ｃは、整地フロートＦ面下に固着されて圃場表土面に溝を形成する溝付け金具39の後部に平面視がコ字状の肥料受入体40を固着した構成になっていて、この肥料受入体40内に前記硬管34が突っ込まれて固着されている。
　以上の実施例の作用について説明すると、苗植付け作業中において、肥料タンク30内の肥料が繰出ロールで漏斗32内に繰り出され、肥料移送管の硬管33内に流下されると送風機37からの空気圧で後方へ吹き出されて可撓管の軟管35内に送り込まれて下部の作溝器のコ字状の受入体40内に送られて作溝された溝に撒かれて施肥される。」（３頁右上欄２〜１４行）
 (3-d).第１図には、作条器Ｃを苗載台２５の下端部下方近傍に配置した構成が記載されていると認められる。
　
（４）上記甲第２号証の３（刊行物１）には、次の事項が記載されている。
(4-a).「エンジン２の動力で車輪3,4が回転して前進する走行車体１と、その後部にリンク８で連結されて苗を移植する苗植装置９と、苗植装置９による苗の移植と同時に施肥を行う施肥装置18を備え、・・・特徴とする施肥装置付苗植機。」（１頁左下欄５〜１５行）
(4-b).「この苗植装置９は、中央部に位置する歯車ケース13と、その上に前倒れに設けられて左右に移動する苗載台14と、苗載台14の下端の後部で上下に向う長円の軌道で旋回する植付杆15と、歯車ケース13の下に設けられているフロート16で構成されている。」（２頁左下欄７〜１３行）
(4-c).「施肥装置18は、肥料タンク19,繰出部20,ブロア21,エアチヤンバ22およびホース23などで構成されている。すなわち、走行車体１の後端で上に伸びる支柱24に横長のエアチヤンバ22が固定され、このエアチャンバ22の前面に繰出部20が取付けられ、その上に肥料タンク19が配置されている。」（２頁左下欄２０行〜右下欄６行）
(4-d).「ホッパ38がそれぞれの繰出ロータ25の下に設けられ、その下端がそれぞれのパイプ39の中間の上部に連なっている。このパイプ39の一端は、前記のエアチヤンバ22に接続し、他端は、ホース23の上端に接続している。このホース23の下端は、フロート16の作条器40に連なっている。また、ブロア21は、エアチヤンバ22に接続し、これが吹き出した空気がエアチヤンバ22でそれぞれのパイプ39に配分され、パイプ39内を流れる空気で繰出ロータ25が送り出した肥料をホース23を通して作条器40内に送るように出来ている。」（３頁左上欄１１行〜右上欄２行）
(4-e).第１図には、作条器４０を苗載台１４の下端部下方近傍に配置した構成が記載されていると認められる。
　
（５）上記甲第３号証（刊行物２）には、次の事項が記載されている。
(5-a).「施肥・播種溝形成用の作溝パイプ(25)内を、風力で強制的に肥料・種子を圧送してその終端から強制的に放出施肥・播種可能に構成し、該作溝パイプの終端部近傍にエアー抜きパイプ(30)を配設してなる施肥機の作溝パイプ。」（１頁左下欄５〜９行）
(5-b).「(25)は、作溝パイプで、該作溝パイプ(25)は苗タンク(15)の下方に位置した状態で、田植機体(14)に支持部材を介して取付けられていて、植付装置(16)で苗を取付ける植付位置の横側部に施肥用の溝を形成するものであって、該作溝パイプ(25)の上端部に施肥パイプ(24)の終端部を接続している。(26)は、ブローワーで、該ブローワー(26)で発生した風は給風パイプ(27)を介して施肥パイプ(24)の前部に連通されていて、肥料繰出し装置(21)から繰出された肥料は、施肥パイプ(24)内を圧送されるように構成している。
　つぎに、作溝パイプ(25)について説明すると、該作溝パイプ(25)は、中間部に屈曲部(25a)を構成するとともに、作溝パイプ(25)の屈曲部上方部位にエアー抜き穴(28)を開口して、該エアー抜き穴(28)にエアー抜きパイプ(29)を後方上方へ向うように延出し、該エアー抜きパイプ(29)の終端部に風の圧力で開孔するエアー抜きパイプ(30)を軸支している。そして、該エアー抜きパイプ(29)をフロート(17)上面より高位にして、泥水がエアー抜きパイプ(29)内へ流入しないように構成している。」（２頁左上欄２行〜右上欄２行）
(5-c).「これと同時に、植付位置の横側方には作興パイプ(25)で施肥溝が形成され、肥料繰出し装置(21)の落下筒部(21a)から施肥パイプ(24)へ落下した粒状の肥料は、ブローワー(26)から給風パイプ(27)を経て供給された風により、施肥パイプ(24)内を的確に圧送され、粒状の肥料は作溝パイプ(25)の下端部から施肥溝内へ供給落下され、施肥されるものである。
　このような状態で田植作業と共に施肥作業をするのであるが、施肥パイプ(24)から作溝パイプ(25)へ圧送された粒状の肥料は、作溝パイプ(24)の屈曲部(25a)に当って慣性力で作溝パイプ(25)の下部内周面に沿って後方へ流れ、作溝パイプ(25)の終端から施肥溝内へ落下する。この際、粒状の肥料を圧送してきた風は、屈曲部(25a)上方のエアー抜き穴(28)を通ってエアー抜きパイプ(29)に流入し、エアー抜きバルブ(30)を押し開けながら機外へ導かれ、粒状の肥料が作溝パイプ(25)の終端から落下排出するにあたり、圧送力が弱められた状態となり、作溝パイプ(25)終端から排出され、排出された粒状の肥料が必要以上に作溝パイプ(25)の終端から後方へ跳ね飛されることもなく、粒状の肥料の施肥を均等に行うことができる。」（２頁右上欄１４行〜左下欄１５行）
　
３−５．対比・判断
　本件発明と上記３−４．に摘記した事項から把握される甲第１号証ないし甲第３号証に記載された発明を比較すると、
　甲第１号証ないし甲第３号証に記載された発明は、少なくとも本件発明を特定する事項である「圃場に施肥用の溝を形成する作溝器２７をフロート２５，２６に取り付けて苗載台２１の下端部下方近傍に配置し、施肥ホース３２を可撓性のホース３２'に作溝器２７側に連結する所定の形態に成型したホース３２"を連結して構成し、作溝器２７側に連結するホース３２"に、作溝器２７内に泥などが詰まって該作溝器２７に連結する施肥ホース３２の肥料排出口が塞がれたとき施肥ホース３２内の圧風をホース外に吹き出させる孔３２"ｃを設け、該孔３２"ｃを苗載台２１の下方に位置する個所で上方に向かって開口するように設けた」構成を備えていない。
　また、上記構成が自明であるとも、本件特許が出願された時点で周知であるということもできない。
　そして、本件発明が上記構成を備えることにより、特許明細書に記載の格別の作用効果を奏するものと認められる。
　
　したがって、本件発明は甲第１号証ないし甲第３号証に記載された発明から容易に発明をすることができたものとすることはできない。
　
３−６．むすび
　以上のとおりであるから、異議申立の理由及び証拠によっては本件発明についての特許を取り消すことができない。
　また、他に本件発明についての特許を取り消すべき理由を発見しない。
　したがって、本件発明についての特許は拒絶の査定をしなければならない特許出願に対してされたものと認められない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年９月１７日（２００３．９．１７）
【訂正の要旨】
審決（決定）の【理由】欄参照。
（５４）【発明の名称】
施肥装置付き田植機
（５７）【特許請求の範囲】
　【請求項１】　
昇降リンク装置３により昇降する植付部４に前側が高く後側が低くなるよう傾斜した苗載台２１と圃場面を滑走するフロ−ト２５，２６とを設け、
前記フロ−ト２５，２６に取り付けて
を可撓性のホ−ス３２’に作溝器２７側に連結する所定の形態に成型したホ−ス３２”を連結して構成し、作溝器２７側に連結するホ−ス３２”
【発明の詳細な説明】
　【０００１】
　【発明が属する技術分野】
　この発明は、田植機に施肥装置を取付けた施肥装置付き田植機の技術分野に関する。
　【０００２】
　【従来の技術】
　従来、肥料を繰り出す繰出部を苗載台の前側に配置し、圃場に施肥用の溝を形成する作溝器を苗載台の下端部下方近傍に配置し、前記繰出部が繰り出した肥料を前記作溝器に導く施肥ホースを前記繰出部の下方から後方に延びて苗載台の下方に入り込むよう配置し、該施肥ホース内に肥料搬送用の圧風を吹き込む構成とした施肥装置付き田植機があった。
　【０００３】
　【発明が解決しようとする課題】
　上記従来の施肥装置付き田植機は、繰出部と作溝器が前後に離れた構成となっているが、圧風を利用して肥料を搬送するので、施肥ホース内での肥料の移送が良好に行える利点がある。しかし、一旦、作溝器内に泥などが詰まって施肥ホースの肥料排出口が塞がれてしまうと、施肥ホース内に吹き込まれる圧風が肥料移送方向に流れなくなってしまう。そうなると、この状態で施肥装置が作動し続けて施肥ホース内に肥料が更に供給されると、肥料の移送経路にあって肥料が自重で容易に移送方向に移動しないような水平状になった個所があると、その個所に肥料が次々と溜まって、たちまちのうちに施肥ホースの肥料供給個所まで、また施肥ホースに肥料を供給する繰出部まで肥料が詰まってしまうのである。このため、作溝器内に泥などが詰まったのに気付いてそれを取り除く作業に入る前に、繰出部まで肥料が詰って繰出部の作動不良を起してしまう場合がある。そこで、この発明は、圧風を利用して肥料を搬送する施肥装置を備えた施肥装置付き田植機にあって、作溝器内に泥などが詰まって施肥ホースの肥料排出口が塞がれても繰出部の作動不良までは生じにくいものとすることを課題とする。
　【０００４】
　【課題を解決するための手段】
　この発明は、上記課題を解決するために、
昇降リンク装置３により昇降する植付部４に前側が高く後側が低くなるよう傾斜した苗載台２１と圃場面を滑走するフロ−ト２５，２６とを設け、
前記フロ−ト２５，２６に取り付けて
を可撓性のホ−ス３２’に作溝器２７側に連結する所定の形態に成型したホ−ス３２”を連結して構成し、作溝器２７側に連結するホ−ス３２”
　【０００５】
　【作用】
　この発明の施肥装置付き田植機にあっては、繰出部３１で繰り出された肥料は圧風を受けて搬送され施肥ホース３２に導かれて作溝器２７に移送され、作溝器２７によって圃場に形成された施肥用の溝に排出される。また、作溝器２７内に泥などが詰まって施肥ホース３２の肥料排出口が塞がれると、施肥ホース３２内に吹き込まれた圧風は、施肥ホース３２に設けた孔３２”ｃから施肥ホース３２の外に抜け出ていって、肥料がすぐに施肥ホース３２内に詰まることがない。しかも、
作溝器２７がフロ−ト２５，２６に取り付けられ
作溝器２７側に連結するホ−ス３２”で
　【０００６】
　【発明の効果】
　よって、この発明により、圧風を利用して肥料を搬送する施肥装置５を備えた施肥装置付き田植機にあって、作溝器２７内に泥などが詰まって施肥ホース３２の肥料排出口が塞がれても、施肥ホース３２内に吹き込まれた圧風は、施肥ホース３２に設けた孔３２”ｃから施肥ホース３２の外に抜け出ていくので、肥料がすぐに施肥ホース３２内に詰まることがなく、そのため繰出部３１の作動不良まで生じてしまうことは起こりにくいものとなる。しかも、
作溝器２７がフロ−ト２５，２６に取り付けられ
作溝器２７側に連結するホ−ス３２”で
　【０００７】
　【実施例】
　図１に示す施肥装置付き田植機１は、動力車両である走行車体２に昇降リンク装置３を介して植付部４が装着されているとともに、走行車体２とこの植付部４の間に施肥装置５が設けられている。図中の６は前輪、７は後輪、８はエンジン、９は操縦席である。
　【０００８】
　昇降リンク装置３は、走行車体２のリンクベース１０に昇降自在に取り付けられた上リンク１１および下リンク１２、１２を備え、これら上下リンクの後端部に縦リンク１３が連結されている。そして、縦リンク１３の下端部から後方に突出するローリング軸１４に植付部４が進行方向に対して左右に回動自在に装着される。走行車体フレーム１６に油圧シリンダ１７の基部側を取り付け、ピストンロッド１８側を上リンク１１の基部から一体的に下向きに突設したスイングアーム１５の先端部にスプリングを介して連結し、油圧シリンダ１７を伸縮させることにより植付部４が昇降するようになっている。この油圧シリング１７は後記油圧バルブ２８によって制御される。尚、この昇降リンク装置３は、植付作業時などで植付部４を下げた状態で、走行車体２に対して最も前後に離れた状態になり（このとき苗載台２１の先端部が施肥装置５のホッパー３０の後側に位置し互いに接触することはない）、植付部４を上げたときは走行車体２に近づく（このとき、苗載台２１の先端部が施肥装置５のホッパー３０の上側に位置して操縦席９側に接近し、苗補給がしやすくなる）ようなリンク構成になっている。
　【０００９】
　植付部４は、平面視Ｅ字状の伝動ケース２０が植付部４のフレームを兼ね、該伝動ケース２０の上側に、前側が高く後側が低くなるよう傾斜させて苗載台２１が設けられている。この苗載台２１は伝動ケース２０内の左右往復移動機構と連結して左右に往復移動するようになっている。また、伝動ケース２０の後端部に植付条数分の植付装置２２…を備え、苗載台２１が左右に往復動して台上の苗を該苗載台の下端側に設けた苗受け枠２１ａの苗取出口２１ｂ…に順次供給しつつ、植付装置２２…の植付具２３…が所定の軌跡を描きながら回転して、前記苗取出口２１ｂ…に供給された苗を植付具２３の植付爪が挾持し、これを圃場に達したとき開放して植え付けるようになっている。植付部４の下部にはセンターフロート２５と左右一対のサイドフロート２６、２６が設けられており、機体の進行により圃場面を滑走して整地しつつ、植付部４の昇降動のダンパー機能として働く。これら各フロート２５、２６、２６には、各条の苗植付位置の近傍の圃場面に施肥用の溝を形成する作溝器２７…が取り付けられている。また、センターフロート２５は圃場面の凹凸を検出するセンサでもあり、このセンサーフロート２５の上下動に応じて油圧バルブ２８が作動するようになっている。すなわち、センターフロート２５が上動すると油圧シリンダ１７を伸ばす方向に油圧バルブ２８が作動され、逆にセンターフロート２５が下動すると油圧シリンダ１７を縮める方向に油圧バルブ２８が作動されるものである。
　【００１０】
　施肥装置５は、植付苗の近傍に施肥する側条施肥装置で、まず、図１に示すように、肥料を収容するホッパー３０と該ホッパー３０の下側に取り付けられる繰出部３１…を、前後方向に対して植付部４の苗載台２１の前側で走行車体２の操縦席９の後側に位置させ、且つ各植付条に対応した複数の繰出部３１…（ここでは６条植えに対応して６体の繰出部が設けられる）が左右に一列、並ぶように設けている。そして、繰り出された肥料を苗載台２１の下端部下方近傍に配置した作溝器２７…に導く施肥ホース３２…を各繰出部３１…にそれぞれ連結し、施肥ホース３２を繰出部３１の下方から後方に延びて苗載台２１の下方に入り込むよう配置している。更に、ブロア３３とそのブロアからの圧風を一時的に貯えて施肥ホース３２…の上端部へ送るエアーチャンバー３４とが備えられて、施肥ホース３２…内を圧風により肥料が強制的に移送されるようになっている。
　【００１１】
　ホッパー３０は、繰出部３１…が植付条と同数の施肥条数分設けられているのに対し、左右に長く一体的に設けられて肥料を大容量収容できるように構成されている。この一体ホッパー３０は、単条分のホッパー３０’…を施肥条数分左右に連結して構成できるので、施肥条数の異なるホッパー３０を単条分のホッパー３０’…の組合せで構成できコストダウンが図れる。単条分のホッパー３０’の本体部は、前後の側壁３０’ａ、３０’ａと左右の上側に開いて凹状に切り欠かれた側壁３０’ｂ、３０’ｂと、底部側の漏斗状の前後左右の傾斜面３０’ｃ、３０’ｃ、３０’ｄ、３０’ｅ（３０’ｄは急傾斜面、３０’ｅ緩傾斜面）からなり、上側の開放部が肥料投入口３０ａに、下側の四角孔が肥料排出口３０ｂとなる。尚、肥料排出口３０ｂの位置は、平面視で左右に（急傾斜面３０’ｄ側に）ずれて設けられている。この単条分のホッパー３０’…が、施肥条数分、凹条に切り欠かれた左右側壁３０’ｂ、３０’ｂが互いにつき合うようにしてリベットで連結して一体的に構成している。更に、ここでは、連結して左右に長くなったホッパー３０の前後の側壁３０’ａ…、３０’ａ…の外側面に、左右が略同幅で上下が前記側壁上下幅より広い前後外側板３０’ｆ、３０’ｆを貼付け、左右端の凹状に切り欠かれた側壁３０’ｂ、３０’ｂの外側面に前記凹状切り欠き部を塞ぐように左右外側板３０’ｇ、３０’ｇを貼り付ける。以上のようにして施肥条数分のホッパー３０’…が一体的に連結され、更に、この一体ホッパー３０の上側の肥料投入口３０ａには蓋３０ｃがホッパー後側壁３０’ａに枢支されて開閉可能に設けられている。この一体ホッパー３０は、各単条分のホッパー３０’…の連結部の左右側壁３０’ｂ…、３０’ｂ…が凹状に切り欠かれているため各単条のホッパー３０’…ごとに仕切りがない状態になっているから、ホッパー３０内の肥料を全体的に手で均すこともできて、肥料補給時の作業性が良いものとなる。
　【００１２】
　また、ホッパー３０の各施肥条数に応じた一体連結構成は、図６（ａ）、（ｂ）、図７（ｃ）、（ｄ）に示すように、それぞれ単条分のホッパー３０’…を連結構成する。図は、ホッパー部が平面視の略図で、そのホッパー３０（肥料排出口３０ｂ…の中心）の位置と、植付位置Ｐ…、施肥位置（側条施肥のため植付位置Ｐから左右にずれた位置になる）Ｆ…との位置関係を対応させて示した図である。図６（ａ）は４条植えタイプの場合、図６（ｂ）は５条植えタイプの場合、図７（ｃ）は６条植えタイプの場合、図７（ｄ）は８条植えタイプの場合である。各図において、各肥料排出口３０ｂ…の中心から各条毎の施肥ホース３２…が導出されるものとし、その施肥ホース３２…が施肥位置Ｆ…まで左右にずれることなく配されるようにホッパー３０が構成されている。また、急傾斜面３０’ｄどうしができるだけ互いに隣合うように、またその急傾斜面３０’ｄどうしの連結部ができるだけ機体の左右中心位置Ｃに配されるように連結構成されている。３０ｓは肥料減少センサーで、いずれも急傾斜面３０’ｄに取り付けられている。以上のように構成することで、ホッパー３０を操縦席９の後側で植付部４の前側に配置した形態の施肥装置付き田植機において、特に、５条植えと６条植えの場合のホッパー連結構成で有効な点がある。即ち、中央側のホッパー内に残った肥料を取り出すときは、操縦席９がその前にあって肥料取り出しスペースがないために左右側のホッパー内に肥料をかき分け移動して左右側から取り出すのであるが、この場合において、特に、５条植えと６条植えの場合のホッパー３０は、肥料減少センサー３０ｓが取付けられていない緩傾斜面３０’ｅ上を肥料をかき分け移動させられるので、中央側の肥料取り出し作業がしやすい構成になっている（急傾斜面３０’ｄ上を肥料をかき分け移動することになると、傾斜が急で移動させにくいし、その面に取り付けられている肥料減少センサー３０ｓにひっかかってやりずらい）。
　【００１３】
　また、各単条分のホッパー３０’…の底部側に設けられた漏斗状の前後左右の傾斜面３０’ｃ、３０’ｃ、３０’ｄ、３０’ｅにより、ホッパー３０内に収容された肥料はホッパー３０の肥料排出口３０ｂに連設される繰出部３１…の供給口３１ｃ…に向けて自然に滑り落ちるようになっている。尚、蓋３０ｃを開けて肥料を投入するとき、蓋３０ｃ枢支部側に肥料が溜らないようにホッパー内壁後側と蓋３０ｃの内面枢支部側とにわたって帯状の肥料溜り防止用のシート３０ｃ’が貼付られている。
　【００１４】
　また、前記前後外側板３０’ｆ、３０’ｆの下端位置が前記傾斜面３０’ｃ、３０’ｃ、３０’ｄ、３０’ｅの傾斜上位位置より下方まで位置するよう上下幅が広くなっている。即ち、前記傾斜面の上位側からその傾斜面３０ｅの傾斜とは平行せずに下方に垂れ下がるスカート部３０ｄ、３０ｄが設けられている。これにより、ホッパー３０の外側面に付着した水滴が前記傾斜面３０’ｃ、３０’ｃ、３０’ｄ、３０’ｅにつたって繰出部３１との連結部から繰出部内部にしみこむことがない。よって、繰出部３１内で肥料が水分を吸収して付着し肥料詰まりが生じるというトラブルの発生が防止できる。
　【００１５】
　尚、各条ホッパー３０’の連結部となっている左右側壁３０’ｇ…、３０’ｇ…のスカート部３０ｄ、３０ｄの内側でホッパー３０の外側の部分に左右に貫通する孔３０ｅ…が設けられている。この孔３０ｅ…は、各条ホッパー３０’の傾斜面（急傾斜側）３０’ｄ…に設けられる肥料減少センサー３０ｓ…のコード３０ｓ’等の電装系のコードを通してコードホルダーとして用いられる。また、コードはスカート部３０ｄ、３０ｄの内側に配線されるので防水対策にもなる。
　【００１６】
　次に、繰出部３１は、上下に開口した繰出部ケース３１ａ内に所定量づつ肥料を上から下へ繰り出す繰出ロール３１ｂが組み込まれて構成されている。各条ごとの繰出部ケース３１ａ…は、その上側の供給口３１ｃ…が前記ホッパー３０の肥料排出口３０ｂ…が合わさって連通状態になるようにホッパー３０と連結し、下側の繰出口３１ｄ…には繰り出された肥料を施肥ホース３２…に導く漏斗３６…が取付けられている。繰出ロール３１ｂは、全周に軸方向に長さ調節可能な繰出溝３１ｅ…が設けられていて、その溝３１ｅ…にホッパー３０内の肥料を蓄えて回転し、下方で溝内の肥料を落下させるように作動する。回転途中、繰出ロール３１ｂの外周面に接するように取付けられたブラシ３１ｆによりそがれて溝内の肥料が常に定量で繰り出されるようになっている。尚、ブラシ３１ｆは、繰出部ケース３１ａの前側面に設けられた蓋３１ａ’を開くと容易に取り出すことができる。このとき、蓋３１ａ’の開きとともに、肥料取出しプレート３１ａ”が漏斗３６への肥料の流下を妨げない位置から漏斗３６への肥料の流下を阻止する位置に移動するので、施肥ホース３２側に肥料を流すことなくホッパー３０内の肥料を蓋３１ａ’が開いて開放された肥料取出し口から取り出すことができる。また、前記繰出ロール３１ｂの繰出溝３１ｅ…は、ブロア３３の取付け位置とは左右反対側に設けられた全条繰出量調節ハンドル４０を回すことで、その繰出溝３１ｅ…の軸方向の溝長を一斉に変更調節することができる。よって、繰出ロール３１ｂの１回転当たりの肥料繰出量は、ハンドル４０により全条を繰出部３１…を一斉に同時に同量変更調節することができ、また、各条ごとの繰出部３１…においても個々に独立して変更調節することができる。
　【００１７】
　また、繰出ロール３１ｂの回転は、走行車体１のミッションケースから植付部４への伝動経路上に設けられた植付施肥クラッチケース３７内から取り出された施肥駆動軸３７ａから伝動されて回転する。詳述すると、施肥駆動軸３７ａに取付けられた回転アーム３７ｂと、全条繰出伝動軸３８に取付けられた伝動アーム３８ａとが、ロッド３７ｃで連結する。更に伝動軸３８に固着の各条伝動アーム３８ｂ…と、隣合う繰出部３１、３１…を２条一対としてその一対の繰出部の繰出ロール３１ｂ、３１ｂ…を一軸で軸支する繰出軸３１ｇ…にワンウェイクラッチを介して取付けられた各条駆動アーム３１ｈ…とが、ロッド３８ｃ…で連結する。よって、施肥駆動軸３７ａの回転は各条駆動アーム３１ｈ…を揺動させ、ワンウェイクラッチを介して連結する繰出軸３１ｇ…を一方向に間欠的に回転駆動する。植付施肥クラッチケース３７の上部に基部側が取り付けられているレバーは、植付部４と施肥装置５への伝動を断続する作業クラッチレバー３９である。
　【００１８】
　漏斗３６は、その下側の口が施肥ホース３２が連結する筒状のホース取付部３６ａ内に入り込んで漏斗３６内と連通するように一体的に連結している。ホース取付部３６ａのホース取付口３６ｂ側と反対側の口はエアー吹込み口３６ｃで、その圧風吹込み口３６ｃ…側はエアーチャンバー３４のエアー吹出し口３４ｂ…に各条ごとにそれぞれ対応して挿入連結して、圧風が施肥ホース３２…に導かれるようになっている。なお、漏斗３６の壁部には掃除用の孔が開けられてキャップ３６ｄで蓋されている。
　【００１９】
　施肥ホース３２は、前記漏斗部３６のホース取付部３６ａに可撓性のホース３２’が連結し、そしてそのホース３２’が、作溝器２７側に連結するホース状で所定の形態に成型した合成樹脂ホース３２”に連結されて構成されている。可撓性のホース３２’は、塩化ビニール製で透明の軟質ホース３２’ａ（内面は凹凸がなく滑らか）の外周に塩化ビニール製で透明の硬質線材３２’ｂをらせん状に巻き付け溶着或は接着したもので、これにより植付部４が上昇して可撓性のホース３２’…が曲がる際に、ホース屈曲部の半径がそのホース長でとりうる最大半径に近い半径をとって滑らかに屈曲するようになり、局所的に折れ曲がってホースを痛めることはない。
　【００２０】
　また、施肥ホース３２の合成樹脂ホース３２”には、ホース内径の半分程度の孔３２”ｃ…が各ホース３２”…毎に設けられている。作溝器２７内に泥などが詰まってホース３２”の肥料排出口（作溝器２７側の口）が塞がれた場合、この孔３２”ｃがないと圧風が施肥ホース３２内に吹き込まなくなり数秒間のうちに水平状になっているホース取付部３６ａ内に肥料が詰まり繰出部３１内の肥料詰まりまで波及することになってしまうが、前記孔３２”ｃが設けられていることにより圧風がこの孔３２”ｃから吹き抜けるので、たちまちは前記ホース取付部３６ａまで肥料が詰まることにはならず、肥料詰まりに対する対処が施肥ホース３２内の対処ですむ。そして、その孔３２”ｃ…は、図８に示すように、肥料移送方向とは逆方向に向かって開口したものとなっていて、正常に肥料が搬送されているときに圧風がその孔３２”ｃから施肥ホース３２の外に抜け出ていくことは起こりにくくなっている。
　【００２１】
　また、上記の孔３２”ｃは、図８に示すように、上方に向かって開口しているので、作業走行中に水田から跳ね上がる泥水が孔から施肥ホース３２内に入り込みにくく、また、孔３２”ｃを上方に向かって開口しているものの、施肥ホース３２の苗載台２１の下方に位置する個所にその孔３２”ｃを設けているので、上から降る雨がその孔３２”ｃから施肥ホース３２内に入り込みにくいので、施肥ホース３２内が濡れてそこに肥料が付着し肥料詰りが生じるということも起こりにくくなる。
　【００２２】
　更に、上記の孔３２”ｃ…には開閉回動自在な蓋３２”ｄ…が設けられている。従って、上方に向かって開口する孔３２”ｃに開閉回動自在な蓋３２”ｄを設けたことで、施肥装置を停止して圧風が吹き込まれない状態にしたときでも孔３２”ｃは蓋３２”ｄで塞がれるようになり、より一層、雨が孔３２”ｃから施肥ホース３２内に入り込みにくいものとなっている。なお、肥料移送方向とは逆方向に向かって開口する孔３２”ｃに開閉回動自在な蓋３２”ｄを設けたものともなっているので、孔３２”ｃから異物を施肥ホース３２内に吸い込むことも防止される。
　【００２３】
　尚、この蓋３２”ｄ…が前述のように肥料詰まりによりホース内に吹き込まれた圧風のすべてが孔３２”ｃ…から抜け出ていくときに大きく開いてスイッチ・オンとなる肥料詰まり検出スイッチ３２”ｅ…が設けられ、そしてスイッチ３２”ｅ…がオンとなったときに点灯する警告装置が設けられている。これにより、施肥ホース３２…の肥料排出口（作溝器２７側の口）側で肥料詰まりが発生したとき、警告灯が点灯してどの条のホース３２が肥料詰まりを起こしたを直ちに知ることができるようにもなっている。尚、この構成に替えて、孔３２”ｃ…にホース内に吹き込まれた圧風のすべてが孔３２”ｃ…から抜け出ようとすると鳴りだす笛をもうけても良い。また、施肥ホース３２…が透明でしかも操縦席９側から容易に見える位置にあることより、ホース３２…内の肥料搬送状態を操縦者が容易に監視できるので、肥料がホース３２…内を搬送されなくなったのを見れば繰出部３１側で肥料詰まりが発生したことを知ることができる。
　【００２４】
　ブロア３３は、電動モーターで送風ファンが駆動回転する構成で、その圧風吹き出し口３３ａをエアーチャンバー３４の左右一端部の圧風吹込み口３４ａに連結させて、エアーチャンバー３４の長手方向に圧風が吹き込むように取付けられている。また、このブロア３３の圧風吹き出し口３９ａ部のエアーチャンバー３４との連結部は、エアーチャンバー３４に固定の上下の縦軸３４ｃ回りに回動可能に構成されており、固定具３３ｃを解除してブロア３３を回動すればエアーチャンバー３４の圧風吹込み口３４ａを開放できるようになっている。
　【００２５】
　エアーチャンバー３４は、左右に長い鉄パイプで構成されていて、その部材の中空部でブロア３３からの圧風を一時的に貯えて、各条の施肥ホース３２…に圧風を送る。このエアーチャンバー３４は、各条の繰出部３１…の取付フレームとしても兼用されていて、リンクベース１０の上側へ固着するブラケットに取り付けられている。また、漏斗３６…の圧風吹込み口３６ｃ…部がこのエアーチャンバー３４の側部に設けた孔に嵌め込まれているが、エアーチャンバー３４内の圧風吹込み口３６ｃ…部は、ブロア３３側に近いほど内側に大きく入り込んでおり、また、その圧風吹込み口３６ｃ…部のブロア３３側は切り欠かれている。これは、前記ブロア３３の風圧が十分に大きくないことにより各条の圧風吹込み口３６ｃ…に吹き込んでいく圧風の風圧に格差を生じるのを防止するためである。これをしないと、ブロア３３に遠い（エアーチャンバー３４の塞がれた開口部側でブロア３３の圧風が突き当たる側の）圧風吹込み口３６ｃに吹き込む圧風の風圧に比べてブロア３３に近い圧風吹込み口３６ｃに吹き込む圧風の風圧が低くなる。よって、前記構成によりブロア３３が吹き出した圧風がエアーチャンバー３４の長手方向にそって流れていく過程でその圧風の流れの一部がブロア３３に近い側から順に圧風吹込み口３６ｃ…に分かれて流れ込んでいくようになって、ブロア３３から遠い側と近い側の圧風の格差を解消することができる。
　【００２６】
　また、エアーチャンバー３４の左右一端側のブロア３３が取り付けられる圧風吹込み口３４ａ側とは反対側の開口部３４ｂは、蓋３４ｄで塞がれている。この蓋３４ｄは締め付け固定具３４ｅ、３４ｅで開口部３４ｂをすき間なく塞ぐように取り付けられるとともに、その締め付け固定具３４ｅを取り外すことで容易に開口部３４ｂを開放することができる。開口部３４ｂを開放してブロア３３を作動させエアーチャンバー３４内に風を送れば、エアーチャンバー３４内に入り込んだ肥料を外に吹き出すことができる。これにより、エアーチャンバー３４内に入り込んだ肥料により、エアーチャンバー３４が腐触し劣化するのを防止することができる。また、エアーチャンバー３４の左右両端側の前側部にはサイドステップ５１、５１が取り付けられている。このサイドステップ５１、５１は、走行車体２のステップフロア５０の後側高位部とほぼ同じ高さで連続するように設けられ、施肥装置５の左右両端の繰出部３１、３１の前側まで広がっている。これにより、施肥装置５のホッパー３０への肥料補給や植付部４の苗載台２１へ苗補給において左右両端側に補給するときそのサイドステップ５１、５１に足を載せて身をのりだすことができ補給作業が安全で容易になった。また、サイドステップ５１、５１は下方に折畳める構成にもなっている。５２、５２はエアーチャンバー３４の下側に固着のブラケットに固定したステップ支持フレーム、５３はステップ部、５４はステップ部５３の下側に固着のコ字状フレームで、このフレームがステップ支持フレーム５２、５２に係合し、ピン５５、５５で連結されている。このピンでの連結部は、コ字状フレーム５４側が長孔５４ａ、５４ａになっている。また、コ字状フレーム５４側とエアーチャンバー３４側とはスプリング５６で連結されている。よって、ステップ部５３をスプリング５６の引っ張りに抗して長孔５４ａ、５４ａ部にそって引き出して下方に折り曲げると、その折り曲げ姿勢もまたスプリング５６により保持される。左右両端側の繰出部３１、３１から肥料取り出しするときに、このステップ部５３、５３が邪魔になるのであれば、又必要に応じて容易に下方に折り畳むことができる。
【図面の簡単な説明】
　【図１】施肥装置付き田植機の側面図。
　【図２】施肥装置付き田植機の平面図。
　【図３】施肥装置の一部を示す側方断面図。
　【図４】施肥装置の一部を示す一部断面背面図。
　【図５】施肥装置のホッパーの構成を示す斜視図。
　【図６】施肥装置のホッパーの構成と、そのホッパーと施肥位置、植付位置の位置関係を示す説明図。（ａ）は４条植えタイプの場合。（ｂ）は５条植えタイプの場合。
　【図７】施肥装置のホッパーの構成と、そのホッパーと施肥位置、植付位置の位置関係を示す説明図。（ｃ）は６条植えタイプの場合。（ｄ）は８条植えタイプの場合。
　【図８】施肥装置の一部を示す一部断面側面図。
　【図９】施肥装置の一部を示す断面平面図。
　【図１０】施肥装置の一部を示す平面図。
　【図１１】施肥装置の一部を示す側面図。
　【符号の説明】
　１：施肥装置付き田植機
　２：走行車体
　４：植付部
　５：施肥装置
　２１：苗載台
　２７：作溝器
　３０：ホッパー
　３１：繰出部
　３２：施肥ホース
　３２”ｃ：孔
　３２”ｄ：蓋
　３３：ブロア
　３４：エアチャンバー
　３６ａ：ホース取付部